(57)【要約】【課題】経時劣化により分解して自然に還るとともに、植生シートを敷設する際、植生シートを垂直方向に押さえる手段を備えた植生シート止め用樹脂杭を提供すること。【解決手段】先端部２０がテーパー状に尖っており、先端部２０側に戻り部３０を有するピン本体部４０と、ピン本体部４０の基端部にピン本体部４０よりも断面積が大きい頭部５０と、頭部５０から略垂直方向に延設された延設部６０を備えた植生シート止め用樹脂杭１０とした。【選択図】図１
0003203057.tif 000002
【実用新案登録請求の範囲】
【請求項１】
法面緑化工事の際に法面に敷設した植生シートを法面に固定するために使用する植生シート止め用樹脂杭であって、
先端部がテーパー状に尖っており、先端部側に戻り部を有するピン本体部と、
前記ピン本体部の基端部にピン本体部よりも断面積が大きい頭部と、
前記頭部から略垂直方向に延設された延設部を備えた植生シート止め用樹脂杭。
【請求項２】
前記本体部、前記頭部、前記延設部、及び前記戻り部は、樹脂を一体成型することにより構成されていることを特徴とする請求項１に記載の植生シート止め用樹脂杭。
【考案の詳細な説明】
【技術分野】
【０００１】  本考案は、法面緑化工事の際に、法面に敷設する植生シートを法面に固定するために用いる植生シート止め用樹脂杭に関する。さらに言えば、経時劣化により分解して自然に還る植生シート止め用樹脂杭に関する。
【背景技術】
【０００２】  法面への降雨等による浸食、風化等による表層崩壊を抑止すると共に、景観向上や環境保全等も目的として法面緑化工事が行われている。従来からの法面緑化工事は、植物の種子を分散させた植生シートを法面に敷設し、さらに鋼鉄製のＵ字型のピンや釘等を打ち込むことにより植生シートを法面に固定する方法で行われていた。【０００３】  植生シートを法面に固定するのに使用していた鋼鉄製のＵ字型のピンは、鋼鉄製であるが故、重量が大きく現場作業時に作業者が纏めて持ち運ぶのが大変であるし、単に棒状の鋼鉄をＵ字型に曲げただけであるため（Ｕ字型に曲げる手間も掛かる）、作業者が植生シートを法面に固定する作業を行う際のハンドリング性については全く考慮がされていないものである。さらに、植生シートを法面に固定した後においても、周りから見えにいためピンの位置確認が難しく、また植生が進んで草刈りをする際、鋼鉄製のＵ字型のピン（や釘）は酸化して（錆びて）自然分解するのに極めて多くの年月を要するので、草刈機の刃が鋼鉄製のＵ字型のピン（や釘）に当たって草刈機の刃が折れてしまう等の不具合も多く、草刈り作業者の安全を確保する意味でも改善の要求が高まっていた。【０００４】  特許文献１には、「使用済み後、別の廃却処分装置を設けることなくそのまま土壌や道路に放置可能である生分解性樹脂で成形した杭及びシート敷設構造を提供すること」を課題として、「脂肪族ポリエステル樹脂と、植物繊維とで配合された組成体であって、頂点部から末広がりに複数本の突条を形成した頭部と、該頭部に一体成形すると共に外周の所望位置に複数の抜け防止用突片及び本体長方向に複数本の突条を形成した差込み本体部とを有したことを特徴とする生分解性樹脂で成形した杭」が開示されている（特許文献１：要約：解決手段）。
【先行技術文献】
【特許文献】
【０００５】
【特許文献１】特開２００２−２３５３２３号公報
【考案の概要】
【考案が解決しようとする課題】
【０００６】  特許文献１に係る考案に開示された杭は、脂肪酸ポリエステル樹脂と、植物繊維とで配合された組成体（いわゆる生分解性樹脂）で形成されているため、自然分解するので植生が進んで草刈りをする際、草刈機の刃が鋼鉄製のＵ字型のピンに当たって草刈機の刃が折れてしまう等の不具合は解消することができると考えられる。しかしながら、特許文献１に係る考案に開示された杭は、雑草抑制シートに打ち込むことで、雑草抑制シートが風雨等により移動しないように固定するための杭である。そのため、本考案のように、植生シートを垂直方向に押さえるための手段を有しておらず不十分であった。【０００７】  本考案の目的は、経時劣化により分解して自然に還るとともに、植生シートを垂直方向に押さえる手段を備えた植生シート止め用樹脂杭を提供することにある。
【課題を解決するための手段】
【０００８】  上記課題を解決するために、本願請求項１に記載した考案は、法面緑化工事の際に法面に敷設した植生シートを法面に固定するために使用する植生シート止め用樹脂杭であって、先端部がテーパー状に尖っており、先端部側に戻り部を有するピン本体部と、前記ピン本体部の基端部にピン本体部よりも断面積が大きい頭部と、前記頭部から略垂直方向に延設された延設部を備えた植生シート止め用樹脂杭であることを特徴とするものである。【０００９】  本願請求項２に記載した考案は、請求項１に記載した考案において、本体部、頭部、延設部、及び戻り部は、樹脂を一体成型することにより構成されている植生シート止め用樹脂杭であることを特徴とするものである。
【考案の効果】
【００１０】  本考案によれば、ピン本体部は、先端部がテーパー状に尖っているので、植生シートを法面に固定する際、土壌に刺さり易いし、先端部側に戻り部を備えているので、一旦、土壌に固定した後であっても抜けにくい。そして、ピン本体部の基端部にピン本体部よりも断面積が大きい頭部を備えているので、真上から叩きやすいし、頭部から略垂直方向に延設された延設部を備えているので、植生シートを垂直方向に押さえることができる。【００１１】  尚、延設部は打ち込む際には取手としても使用できるので、植生シート止め用樹脂杭を打ち込むときのハンドリング性にも優れている。さらに、ピン本体部、頭部、延設部、及び戻り部は、樹脂を一体成型することにより構成されているため、経時劣化により分解して自然に還るため、植生が進んで草刈りをする際、草刈機の刃が当たっても刃が折れて飛び散ったりすることもなく、作業者の安全を図ることができる。
【図面の簡単な説明】
【００１２】
【図１】本考案に係る植生シート止め用樹脂杭の全体図である。
【図２】植生シート止め用樹脂杭の使用状態を説明するための図である。
【図３】植生シート止め用樹脂杭の変更例を示した正面全体図である。
【考案を実施するための形態】
【００１３】＜植生シート止め用樹脂杭の構造＞
以下、本考案に係る植生シート止め用樹脂杭１０の一実施形態について、図１〜図２を参照しつつ詳細に説明する。図１は、本考案に係る植生シート止め用樹脂杭１０の全体図である。
【００１４】  本考案に係る植生シート止め用樹脂杭１０は、概略的には図１に記載したように、ピン本体部４０と一体成型した延設部６０から構成されている。ピン本体部４０は、先端部２０がテーパー状に尖っており、先端部２０側に戻り部３０（図１においては２箇所）を備えている。そして、図１の拡大断面図に記載した断面形状から解るように、ピン本体部４０の基端部にピン本体部４０よりも断面積が大きい頭部５０を備えている。延設部６０は、頭部５０からピン本体部４０に対して略垂直方向に延設されている。そして、ピン本体部４０、頭部５０、延設部６０、及び戻り部３０は、樹脂をインジェクションマシン等の成形機により一体成型することにより形成されている。
【００１５】  ピン本体部４０の長さは１００ｍｍ〜１５０ｍｍ程度、戻り部３０は、ピン本体部４０の先端から２０ｍｍ〜３０ｍｍ程度の箇所、及び４０ｍｍ〜５０ｍｍ程度の箇所の２箇所に、ピン本体部４０と３０°〜４５°程度の角度を成すように突設されている。
【００１６】  図１の拡大断面図に記載したように、ピン本体部４０の基端部に設置された頭部５０の断面形状（Ｑ断面）は、ピン本体部４０の断面形状（Ｐ断面）が十字形状であるのと比較して、略円形状であるので断面単位で見ると、略円形状である頭部５０の方が、十字形状であるピン本体部４０よりも断面積が大きくなっている。そして、頭部５０からピン本体部４０に対して略垂直方向に延設された延設部６０の長さは５０ｍｍ〜８０ｍｍ程度である。勿論、植生シート止め用樹脂杭１０の各寸法については一例を示したに過ぎずこれらに限定されるものでは無い。
【００１７】  さらに、ピン本体部４０、頭部５０、延設部６０、及び戻り部３０は、分解促進剤を添加した樹脂をインジェクションマシン等により一体成型することにより形成されていても良い（環境に優しい再生樹脂（再生ポリプロピレンン）を使用一体成型することにより形成されていても良い）。一例を挙げれば、植生シート止め用樹脂杭１０が、芳香族ケトン、セルロース、グルコース誘導体等のポリエチレン、ポリプロピレン等のオレフィン系樹脂の自然分解を誘発する添加剤を添加された樹脂をインジェクションマシン等の成形機により一体成型することにより形成されていても良い。
【００１８】＜植生シート止め用樹脂杭の使用状態＞
図２は、本考案に係る植生シート止め用樹脂杭１０の使用状態を説明するための図である。図２（ａ）は法面緑化工事を施した法面の斜視図であり、図２（ｂ）は法面緑化工事を施した法面の側面図である。図２（ｂ）に記載したように、まず、法面緑化工事の際は法面に複数の植生シート（大きさ５００ｍｍ×７００ｍｍ程度）を敷設する。その後、図２（ａ）に記載したように、本考案に係る植生シート止め用樹脂杭１０にて、植生シートを法面に固定する（拡大図に記載したように、植生シートの四隅に本考案に係る植生シート止め用樹脂杭１０を打ち込む）。
【００１９】  法面緑化工事の際、植生シートに使用される材料は、自然分解する素材であり、植生後に自然分解して構成材料が残存しない。一方、樹脂も、自然環境中の光、温度、酸素、微生物等によって、最終的に水と二酸化炭素の無機物に自然分解される。本考案に係る植生シート止め用樹脂杭１０は、植生シートが自然分解するまで、植生シートを押さえる役割を果たせば良いものである。要するに、役割を果たした後、分解して自然に還ることが望ましいのである。
【００２０】＜植生シート止め用樹脂杭の効果＞
本考案によれば、先端部２０がテーパー状に尖っているので、固定する際、法面の土壌に刺さりやすいし、先端部２０側に戻り部３０を有するピン本体部４０を備えているので、一旦、土壌に固定した後であっても抜けにくい。そして、ピン本体部４０の基端部にピン本体部４０よりも断面積が大きい頭部５０を備えているので、植生シート止め用樹脂杭１０を法面に打ち込む際、真上から叩きやすい。そして、頭部５０から略垂直方向に延設された延設部６０を備えているので、１本の植生シート止め用樹脂杭１０で幅広く複数の線状の藁を並べた藁シートのようなタイプの植生しーとであっても押さえることができる。
【００２１】  延設部６０は、打ち込む際には取手としての効果もあるので打ち込むときのハンドリング性も優れている。さらに、ピン本体部４０、頭部５０、延設部６０、及び戻り部３０は樹脂（分解促進剤を添加した樹脂を含む）を一体成型することにより構成されているため、経時劣化により分解して自然に還るので、植生が進んで草刈りをする際、草刈機の刃が当たっても刃が折れたりすることもなく、作業者の安全を図ることができる。
【００２２】  しかもカラフルな色彩を有する樹脂製であるため、法面に設置した後に視覚に訴える事においては、鋼鉄製のピンよりも目立ち易く、法面に設置した後、植生シート止め用樹脂杭１０の位置確認ができるので、植生シート止め用樹脂杭１０を打ち忘れたりすることが無い。さらに、植生シート止め用樹脂杭１０を色分けすることにより区別（例えば、植生シートに含まれる植物の種子類等）できるし、選択する樹脂の種類によって植生シート止め用樹脂杭１０自体の強度を変えることができるので土壌の硬さ等の条件によって自由に最適な植生シート止め用樹脂杭１０を選択することができる。
【００２３】  植生シート止め用樹脂杭１０が、ポリエチレン、ポリプロピレンなどオレフィン系樹脂の自然分解を誘発する芳香族ケトン、セルロース、グルコース誘導体等の分解促進剤を添加した樹脂を原料として一体成型することにより、自然環境中の光、温度、酸素、微生物等によって、最終的に水と二酸化炭素の無機物に自然分解される速度を速めることができる。即ち、水と二酸化炭素にまで分解される速度が速まる。そして、樹脂（ＰＰ樹脂）に混ぜる添加剤の量を増やせば、より早く分解させることができることが知られているので、自然分解する時期を自由に調整することもできる。
【００２４】＜植生シート止め用樹脂杭の変更例＞
本考案に係る植生シート止め用樹脂杭１０は、上記実施形態の態様に何ら限定されるものではなく、先端部２０、戻り部３０、ピン本体部４０、頭部５０、延設部６０等の構成を、本考案の趣旨を逸脱しない範囲で、必要に応じて適宜変更することができる。
【００２５】  図３は、植生シート止め用樹脂杭１０の変更例を示した正面全体図である。図３（ａ）、図３（ｂ）、及び図３（ｃ）に記載したように、略Ｕ字型にすることにより複数の線状の藁を並べた藁シートのようなタイプの植生シートを垂直方向に押さえる効果を向上させるために、ピン本体４０部が２本であっても良いし、延設部６０は、図１に記載したように、頭部５０から１方向のみに延伸していても良いし、図３（ｄ）に記載したように左右２方向に延伸していても良いし、さらに、前後左右の４方向に延伸（真上から見ると十字形状）していても良い。
【００２６】  ピン本体部４０、頭部５０、延設部６０、及び戻り部３０は、生分解性樹脂を一体成型することにより形成されていても良い。生分解性樹脂は、自然界の微生物によって、最終的には水と二酸化炭素に分解されるため樹脂（分解促進剤を添加した樹脂を含む）よりも早く自然に還るため環境にも良い。さらに言えば樹脂は、完全に分解し切れずにマイクロプラスティックのような形で残存して海に漂流してしまい環境に害を与えていることが問題となっているが、生分解性樹脂であれば係る問題は発生しないという利点がある。
【００２７】  尚、生分解性樹脂は、主に微生物系、化学合成系、天然物系等に分類されるが、微生物系の生分解性樹脂として、バイオポリエステル（ＰＨＢ／Ｖ等）、バクテリアセルロース、微生物多糖（プルラン、カードランなど）、化学合成系の生分解性樹脂として、脂肪族ポリエステル（ポリカプロラクトン、ポリブチレンサクシネート、ポリエチレンサクシネート、ポリグリコール酸、ポリ乳酸等）、ポリビニルアルコール、ポリアミノ酸類（ＰＭＬＧなど）、その他ポリウレタン、ナイロンオリゴマー等、天然物系の生分解性樹脂として、キトサン／セルロース、澱粉等が知られている。
【産業上の利用可能性】
【００２８】  本考案に係る植生シート止め用樹脂杭は、上記の如く優れた効果を奏するものであるので、法面緑化工事の際に、法面に敷設する植生シートを、法面に固定する工事に関する分野等で好適に用いることができる。
【符号の説明】
【００２９】  １０・・植生シート止め用樹脂杭
２０・・先端部
３０・・戻り部
４０・・ピン本体部
５０・・頭部
６０・・延設部
【図１】
0003203057.tif 000003
【図２】
0003203057.tif 000004
【図３】
0003203057.tif 000005